【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】  変倍位置を特定するために鏡筒の変位を検出する変倍位置検出手段を、前記鏡筒の結像面側端面に配置したことを特徴とするズームレンズ装置。
【請求項２】  変倍時に内又は外筒に対して撮影光軸方向に相対的に変位せず、且つ撮影光軸を中心とする回転方向に相対的に変位してレンズを撮影光軸方向に案内するレンズ案内筒を備えたズームレンズ装置において、
前記内又は外筒とレンズ案内筒との結像面側端に設けられ、撮影光軸に対して垂直な面内で互いの相対的な変位を検出する変倍位置検出手段を備えたことを特徴とするズームレンズ装置。
【請求項３】  変倍時に内又は外筒に対して撮影光軸方向には相対的に変位せず、撮影光軸を中心とする周方向に相対的に変位してレンズを光軸方向に案内するレンズ案内筒と、
前記レンズ案内筒と内又は外筒との何れか一方の筒の結像面側端面に配置された摺動子と、
前記摺動子が摺動する導電性のパターンをもったパターン部材と、
前記パターンに接続される配線をもったフレキシブルな基板と、
中央部に被写体光を通過させる矩形状の開口が形成されたフレア防止用のマスク部材とを備え、
前記パターン部材、基板、及びマスク部材は、前記他方の筒の後側端面の少なくとも一箇所において共通の固着手段で共に取り付けられていることを特徴とするズームレンズ装置。
【請求項４】  前記パターン部材は、撮影光軸に交差する面のうちの結像面側に前記摺動子が摺動する導電性のパターンをもっており、前記マスク部材は、摺動子の移動するための隙間を前記パターン部材と間に空けて固着されていることを特徴とする請求項３記載のズームレンズ装置。
【請求項５】  前記パターン部材は、撮影光軸に交差する面のうちの結像面側に前記摺動子が摺動する導電性のパターンをもっており、前記マスク部材は、前記パターンを結像面側から覆っていることを特徴とする請求項３又は４記載のズームレンズ装置。
【請求項６】  内又は外筒に対して変倍時に撮影光軸方向に相対的に変位せず、且つ撮影光軸を中心とする回転方向に相対的に変位してレンズを撮影光軸方向に案内するレンズ案内筒と、前記内又は外筒に対するレンズ案内筒の回転位置を検出する変倍位置検出手段とを備えたズームレンズ装置において、
前記変倍位置検出手段は、摺動子及びその摺動子が摺動するパターンをもったパターン部材とから構成され、前記摺動子及びパターン部材を前記内又は外筒の結像面側端面と、その端面と相対的に回転するレンズ案内筒の結像面側端面とにそれぞれ設けられ、撮影光軸に対して垂直な面内で前記内又は外筒と前記レンズ案内筒との相対的な変位を検出することを特徴とするズームレンズ装置。
【請求項７】  単一のモータの駆動により光軸を中心に回転する回転筒と、
前記回転筒とは異なる内又は外筒に対して変倍時に撮影光軸方向に相対的に変位せず、且つ撮影光軸を中心とする回転方向に相対的に変位してレンズを撮影光軸方向に案内するレンズ案内筒と、
前記レンズ案内筒と回転筒との間の連係部に設けられ、一定範囲内で回転筒のみの回転を許容する空転域と、
前記内又は外筒に対するレンズ案内筒の回転位置を検出する変倍位置検出手段とを備え、
変倍時には回転筒の空転域を超える回転によりレンズ案内筒を回転させ、合焦時には回転筒の空転域内の回転によりレンズ案内筒の回転を停止状態にするとともに、前記変倍位置検出手段は、摺動子及び導電性のパターン部材とから構成され、これらの摺動子及び導電性のパターン部材を前記内又は外筒の結像面側端面と、その端面と相対的に回転するレンズ案内筒の結像面側端面とにそれぞれ設けたことを特徴とするズームレンズ装置。
【手続補正２】
【補正対象書類名】明細書
【補正対象項目名】０００３
【補正方法】変更
【補正の内容】
【０００３】
【発明が解決しようとする課題】
しかしながら、前述した摺動子と導体パターン部材とを互いに重ねて回転する鏡筒間の摺面に設けると、導体パターン部材を設けた鏡筒の径が大きくなるとともに、互いの鏡筒の間に摺動子の移動スペースが必要となるため、装置自体も径方向に大型化する欠点があった。
【手続補正３】
【補正対象書類名】明細書
【補正対象項目名】０００５
【補正方法】変更
【補正の内容】
【０００５】
【課題を解決するための手段】
上記目的を達成するために本発明のズームレンズ装置では、変倍位置を特定するために鏡筒の変位を検出する変倍位置検出手段を、前記鏡筒の結像面側端面に配置したものである。また、鏡筒としては、内又は外筒と、変倍時に内又は外筒に対して撮影光軸方向に相対的に変位せず、且つ撮影光軸を中心とする回転方向に相対的に変位してレンズを撮影光軸方向に案内するレンズ案内筒とを備え、内又は外筒とレンズ案内筒との結像面側端に、変倍位置検出手段を、撮影光軸に対して垂直な面内で互いの相対的な変位を検出するように設ければよい。
【手続補正４】
【補正対象書類名】明細書
【補正対象項目名】０００６
【補正方法】変更
【補正の内容】
【０００６】
また、請求項３記載のズームレンズ装置では、変倍時に内又は外筒に対して撮影光軸方向には相対的に変位せず、撮影光軸を中心とする周方向に相対的に変位してレンズを光軸方向に案内するレンズ案内筒と；前記レンズ案内筒と内又は外筒との何れか一方の筒の結像面側端面に配置された摺動子と；前記摺動子が摺動する導電性のパターンをもったパターン部材と；前記パターンに接続される配線をもったフレキシブルな基板と；中央部に被写体光を通過させる矩形状の開口が形成されたフレア防止用のマスク部材とを備え；前記パターン部材、基板、及びマスク部材を、前記他方の筒の後側端面の少なくとも一箇所において共通の固着手段で取り付けたものである。
【手続補正５】
【補正対象書類名】明細書
【補正対象項目名】０００７
【補正方法】変更
【補正の内容】
【０００７】
請求項４記載のズームレンズ装置では、撮影光軸を中心とする周方向に摺動子が移動するのを許容するための隙間を空けてマスク部材を固着したものである。請求項５記載のズームレンズ装置では、パターン部材のパターンを結像面側から覆うようにマスク部材を取り付けたものである。
【手続補正６】
【補正対象書類名】明細書
【補正対象項目名】０００８
【補正方法】変更
【補正の内容】
【０００８】
請求項６記載のズームレンズ装置では、変倍位置検出手段を、摺動子及び導電性のパターン部材とから構成し、これらの摺動子及び導電性のパターン部材を内又は外筒の結像面側端面と、その端面と相対的に回転するレンズ案内筒の光軸方向に沿った後側端面とにそれぞれ設けたものである。また、請求項７記載のズームレンズ装置では、合焦時に空転域によりフリーとなるレンズ案内筒の回転位置を変倍位置検出手段で検出するようにしたものである。これにより、外力や振動等によりひき起こされるレンズ案内筒の回転位置ずれを正しく検出することができる。
【手続補正７】
【補正対象書類名】明細書
【補正対象項目名】０００９
【補正方法】変更
【補正の内容】
【０００９】
【発明の実施の形態】
本発明のズームレンズ装置１０は、図１ないし図４に示すように、前群支持筒１１、第１の筒に相当する直進ガイド筒１２、レンズ案内筒に相当する後群用カム筒１３、後群支持筒１４、回転筒１５、及び固定筒１６等で構成された２群ズームレンズであり、単一のモータ１７の回転を利用して回転筒１５を回転させることで、前群レンズ１８と後群レンズ１９とを互いのレンズ群間の距離を変化させながら光軸２０の方向に移動させて変倍を行い、その後にその変倍状態で前群レンズ１８と後群レンズ１９とを前記変倍時の変化とは異なるレンズ群間となるように光軸２０の方向に移動して合焦を行う。
【手続補正８】
【補正対象書類名】明細書
【補正対象項目名】００１３
【補正方法】変更
【補正の内容】
【００１３】
後群用カム筒１３には、外周後端にフランジ部３５が設けられている。フランジ部３５は、直進ガイド筒１２の内周に光軸２０を中心とする回転方向に沿って環状に設けた溝３６に回転自在に係合する。後群用カム筒１３は、直進ガイド筒１２に回転自在に支持される。後群用カム筒１３には、カム面を持ったカム開口３８が形成されている。カム開口３８には、後群支持筒１４に設けたカムフォロアー３９が係合する。これらカムフォロアー３９は、カム開口３８を通って直進ガイド筒１２に光軸２０と平行に設けた直進ガイド開口４０に係合する。これらカム開口３８、カムフォロアー３９、及び直進ガイド開口４０は、光軸２０を中心とする回転方向の３分割位置にそれぞれ設けられている。なお、図２ないし図４の符号４１は結像面、符号４２は前カバーである。
【手続補正９】
【補正対象書類名】明細書
【補正対象項目名】００１７
【補正方法】変更
【補正の内容】
【００１７】
直進ガイド筒１２の後側端面には、導体パターン部材４８が取り付けられている。後群用カム筒１３には、後端面４５に摺動子４９が取り付けられている。摺動子４９は、導体パターン部材４８に摺動する２つのブラシ４９ａ，４９ｂをもっている。図６に示すように、導体パターン部材４８には、アース用パターン５０、第１パターン５１、第２パターン５２、及び沈胴位置用パターン５３が設けられている。ブラシ４９ａ，４９ｂは、電気的に接続されている。アース用パターン５０は、アースに接続されており、沈胴位置とテレ端との間での変倍に応じて後群用カム筒１３が回転したときにブラシ４９ｂが摺動する軌跡上に沿って帯状に形成されている。
【手続補正１０】
【補正対象書類名】明細書
【補正対象項目名】００２０
【補正方法】変更
【補正の内容】
【００２０】
信号検出部５５は、第１パターン５１、第２パターン５２、及び沈胴位置用パターン５３の信号部５３，５６の有無に対応した二値信号をコントローラ６０に入力する。二値信号は、信号部無し、すなわちブラシ４９ａが信号部５３，５６に接触していないときに入力される「１」（高レベル）の信号と、信号部有り、すなわちブラシ４９ａが信号部５３，５６に接触したときに得られる「０」（低レベル）の信号とである。以下、第１パターン５１から得られる信号を出力信号Ａ、また第２パターン５２から得られる信号を出力信号Ｂ、さらに、沈胴位置用パターン部５３から得られる信号を出力信号Ｈｐとし、高レベル信号から低レベル信号に変化する信号を立ち下がり信号、また逆を立ち上がり信号として説明する。
【手続補正１１】
【補正対象書類名】明細書
【補正対象項目名】００３３
【補正方法】変更
【補正の内容】
【００３３】
上記構成の作用を図７乃至図１２を参照しながら説明する。ズームレンズ装置の初期状態は、図２に示した沈胴位置の状態となっており、ブラシ４９ａが沈胴位置のときの後群用カム筒１３の回転位置にある信号部５６に位置している。コントローラ６０は、電源スイッチ６６のＯＮに応答してテレ端方向に空転域を超える回転分でモータ１７を駆動する。この駆動は、回転筒１５に伝達され、回転筒１５は、回転駆動が伝達されることで、ヘリコイドネジ２１，２５のリードに従って固定筒１６に対して光軸２０の方向に移動する。また、回転筒１５が回転することで前群支持筒１１は、直進ガイド筒１２の直進ガイドの作用により、ヘリコイドネジ２６，２７のリードに従って回転筒１５に対して光軸２０の方向に移動する。これにより、前群レンズ１８は、回転筒１５の変位と前群支持筒１１の変位との合成変位分で光軸２０の方向に移動する。
【手続補正１２】
【補正対象書類名】明細書
【補正対象項目名】００３８
【補正方法】変更
【補正の内容】
【００３８】
ワイド端方向に変倍操作を行った場合には、ワイド方向駆動プログラムが実行される。このプログラムは、単にモータ１７を逆転したのでは、テレ方向回転伝達壁４４ａとは逆側のワイド方向回転伝達壁４４ｂにアーム４６が当接した状態となってしまい、テレ端方向に変倍操作を行ったときと比べてレンズ停止位置に空転域の分だけズレが生じる。したがって、このワイド端方向駆動プログラムでは、変倍操作が完了した時点で、ワイド端方向に向けてのモータ１７の駆動を継続し、後群用カム筒１３の回転位置がブラシ４９ａが次に変倍位置に対応した信号部５６を通過した位置となった時点でモータ１７の駆動をいったん停止する。その後、今度は逆にテレ端方向に向けてブラシ４９ａが先の信号部５６に接触する位置までモータ１７を空転域を超える回転量で駆動する。これにより、ワイド端・テレ端のどちらの方向で変倍を行っても、連係部の形態がテレ方向回転伝達壁４４ａにアーム４６を当接した一定な形態となり、したがってレンズ停止位置を同じにすることができる。
【手続補正１３】
【補正対象書類名】明細書
【補正対象項目名】００４２
【補正方法】変更
【補正の内容】
【００４２】
その後、コントローラ６０は、被写体距離を読み出し、その時点の変倍位置と被写体距離とに基づいたモータ駆動パルスをＲＡＭ６５から読み出す。その後、空転域内の回転量でワイド端方向にモータ１７を駆動し、この駆動中にロータリーエンコーダ６２から得られるパルスをカウントして、カウント値が読み出したモータ駆動パルスの値に一致した時点でモータ１７の駆動を停止する。合焦時のモータ１７の駆動パルスは、空転域内の回転量であるため、合焦動作後にはアーム４６が切り欠き部のテレ方向回転伝達壁４４ａから離れた状態となる。勿論アーム４６はワイド方向回転伝達壁４４ｂにも当接してなく、また、ブラシ４９ａは、空転域内の回転であるため信号部５６からテレ端方向にずれた状態のままとなっている。
【手続補正１４】
【補正対象書類名】明細書
【補正対象項目名】００４９
【補正方法】変更
【補正の内容】
【００４９】
前述したプログラムの実行が行われていない待機中では、一定時間毎に、待機駆動プログラムが実行される。このプログラムが実行されると、まず、コントローラ６０が実行時点で得られている出力信号Ａ又は出力信号Ｂの信号レベルを読み取り、低レベルの信号であるか否かを判断する。変倍操作後、及び待機駆動プログラム実行後には、必ずブラシ４９ａが信号部５６に接触した状態であるため、出力信号Ａ又は出力信号Ｂから低レベルの信号が得られるはずである。しかしながら、外力や振動等が鏡筒に加わった場合、後群用カム筒１３が空転域内で空転する恐れがある。この場合、ブラシ４９ａが信号部５６から外れない程度の空転であれば問題ないのに対し、外れる程に空転すると、そのまま合焦駆動プログラムを実行した場合ピントボケになる恐れがある。後群用カム筒１３の空転方向は、回転筒１５が回転しないため、アーム４６がワイド方向回転伝達壁４４ｂに向けて回転する方向となる。したがって、ブラシ４９ａは、信号部５６から後群用カム筒１３のテレ方向への回転方向に沿ってずれる。
【手続補正１５】
【補正対象書類名】明細書
【補正対象項目名】００５３
【補正方法】変更
【補正の内容】
【００５３】
また、上記実施形態では、摺動子４９を後群用カム筒１３に、導体パターン部材４８を直進ガイド筒１２に設けているが、逆に設けてもよい。さらに、摺動子４９又は導体パターン部材４８のうちの一方を設ける鏡筒としては、後群用カム筒１３に対して光軸方向で変位なく、且つ回転方向で回転しない鏡筒であれば、直進ガイド筒１２以外の鏡筒でもよい。